(57)【要約】      （修正有）【課題】部品点数が少なく、簡易な構造によって、電動モーターの出力軸とスプールのフランジ側面との接触状態を接離自在とするクラッチ機構を備えた釣り用電動リールを提供する。【解決手段】支持軸１３の一端側に回転可能に取り付けられたスプール７のフランジ側面７１に電動モーター４の出力軸４１を接触させて前記スプール７を回転させる釣り用電動リール１において、前記支持軸１３及び前記スプール７を着磁性素材で構成し、前記支持軸１３をハウジング３に取り付けられた中空磁石１１の内孔に摺動可能に嵌挿してその先端を前記ハウジング３の外部に突出させ、前記スプール７の前記電動モーター４の出力軸４１と接触する側のフランジ側面７１の近傍に前記スプール７を前記電動モーター４の出力軸４１側に引きつけるための磁石８を配設した釣り用電動リール１として構成する。【選択図】図１
2019092454.tif 000002
【特許請求の範囲】
【請求項１】
支持軸の一端側に回転可能に取り付けられたスプールのフランジ側面に電動モーターの出力軸を接触させて前記スプールを回転させる釣り用電動リールにおいて、
前記支持軸及び前記スプールは、着磁性素材で構成され、
前記支持軸は、ハウジングに取り付けられた中空磁石の内孔に摺動可能に嵌挿され、その先端が前記ハウジングの外部に突出し、
前記スプールの前記電動モーターの出力軸と接触する側のフランジ側面の近傍には、前記スプールを前記電動モーターの出力軸側に引きつけるための磁石が配設された、
釣り用電動リール。
【請求項２】
スプールを電動モーターの出力軸側に引きつけるための磁石は、前記スプールのフランジ側面と前記電動モーターの出力軸との接触部近傍に配設された、
請求項１記載の釣り用電動リール。
【請求項３】
支持軸のスプール取付側近傍は、前記支持軸の側方方向の動きを規制しつつ軸方向に摺動可能に保持された、
請求項１又は２記載の釣り用電動リール。
【発明の詳細な説明】
【技術分野】
【０００１】
この発明は、ワカサギやハゼ、キス等の小物釣りに用いられる小型の釣り竿に使用される釣り用電動リールに関するものである。
【背景技術】
【０００２】
ワカサギやハゼ、キス等の小物釣りにおいては、仕掛けの投入や引き上げを手早く行うためのクラッチ機構を備えた電動リール付きの小型の釣り竿が一般的に用いられている。
【０００３】
従来より、小物釣り用の小型の釣り竿に用いられる電動リールとして、支持軸に回転可能に取り付けられたスプールのフランジ側面に電動モーターの出力軸を接触させて電動モーターの回転力をスプールに伝え、これによりスプールを回転させて釣り糸をスプールに巻き付ける構造のものが知られている。
そして、このような電動リールには、スプールと電動モーター回転軸との接触状態の接離切り替えを行うためのクラッチ機構が設けられている。
【０００４】
従来のクラッチ機構としては、例えば、実用新案登録第３１２５３００号において提案されている考案のように、電動モーターを上下に傾動させることにより電動モーターの出力軸とスプールのフランジ側面との接触状態を接離自在とし、接触状態において電動モーターの回転力をスプールに伝えて釣り糸の巻き取りを行い、離反状態においてスプールが自由回転できるようにして釣り糸の繰り出しができるようにしたものがある。
しかしながら、この構造によると、配線による電気接続部を備えた電動モーターを上下に傾動させているため、クラッチ操作を繰り返し行うことにより電動モーターの電気接続部に負荷が蓄積されて接触不良が生じる等、故障し易いという問題がある。
【特許文献１】実用新案登録第３１２５３００号公報
【０００５】
他方、電動モーター自体を上下動させずに電動モーターの出力軸とスプールのフランジ側面との接触状態を接離自在としたクラッチ機構として、例えば、特開平１０−１９１８４４号や実用新案登録第３１４２１５８号において提案されている構造がある。これらの電動リールのクラッチ構造は、スプールを軸方向に摺動可能に支持軸に取り付けるとともに、スプールの摺動操作を行うカムを設け、このカムを操作することによってスプールを支持軸の軸方向に移動させ、電動モーターの出力軸とスプールのフランジ側面との接触状態を接離自在としている。
この構造によれば、電動モーター自体を上下動させる必要がないので、クラッチ操作によって電動モーターの接触不良が生じるおそれはない。しかしながら、スプールの摺動操作を行うためのカムが必要となるため、電動リールが大型化するばかりでなく、スプールを電動モーターの出力軸方向に押圧するためのスプリングなども必要となるため、部品点数が増え、構造が複雑になるという問題がある。
【特許文献２】特開平１０−１９１８４４号公報
【特許文献３】実用新案登録第３１４２１５８号公報
【発明の開示】
【発明が解決しようとする課題】
【０００６】
この発明は、部品点数が少なく、簡易な構造によって、電動モーターの出力軸とスプールのフランジ側面との接触状態を接離自在とするクラッチ機構を備えた釣り用電動リールを得ることを課題とする。
【課題を解決するための手段】
【０００７】
この発明の釣り用電動リールは、支持軸の一端側に回転可能に取り付けられたスプールのフランジ側面に電動モーターの出力軸を接触させて前記スプールを回転させる釣り用電動リールにおいて、前記支持軸及び前記スプールを着磁性素材で構成し、前記支持軸をハウジングに取り付けられた中空磁石の内孔に摺動可能に嵌挿してその先端が前記ハウジングの外部に突出し、前記スプールの前記電動モーターの出力軸と接触する側のフランジ側面の近傍に前記スプールを前記電動モーターの出力軸側に引きつけるための磁石を配設して構成する。
前記中空磁石は、内孔を備えた円筒状のリング型磁石などを用いることが考えられるが、前記支持軸を摺動可能に嵌挿できる内孔を備えていればよく、これに限られるものではない。また、前記中空磁石はハウジングに少なくとも１つ取り付けてあればよいが、磁力を強くするために２つ以上取り付けてもよい。
【０００８】
請求項２の発明は、前記スプールを前記電動モーターの出力軸側に引きつけるための磁石を、前記スプールのフランジ側面と前記電動モーターの出力軸との接触部近傍に配設したことを特徴とする。
【０００９】
請求項３の発明は、前記支持軸の前記スプール取付側近傍を、前記支持軸の側方方向の動きを規制しつつ軸方向に摺動可能に保持したことを特徴とする。
【発明の効果】
【００１０】
この発明によれば、支持軸の一端側に回転可能に取り付けられたスプールのフランジ側面に電動モーターの出力軸を接触させて前記スプールを回転させる釣り用電動リールにおいて、前記支持軸及び前記スプールを着磁性素材で構成し、前記支持軸をハウジングに取り付けられた中空磁石の内孔に摺動可能に嵌挿してその先端がハウジングの外部に突出するようにし、前記スプールの前記電動モーターの出力軸と接触する側のフランジ側面の近傍に前記スプールを前記電動モーターの出力軸側に引きつけるための磁石を配設したので、通常状態において、ハウジングに取り付けられた中空磁石の磁力により支持軸に下向きの力が作用して支持軸が下方に引きつけられるとともに、スプールのフランジ側面近傍に配設された磁石の磁力によってスプールのフランジ側面が電動モーターの出力軸側に引きつけられ、スプールのフランジ側面と電動モーターの出力軸との接触状態が維持される。そして、ハウジングの外部に突出した支持軸の先端をスプール方向に押し上げることにより、スプールのフランジ側面を電動モータの出力軸から離反させることができる。これにより、電動モーターの回転力のスプールへの伝達の有無を切り替えること（クラッチ切替）ができる。
また、中空磁石の磁力により支持軸には下向きの力が作用しているため、通常使用する際に支持軸に加わる力によって支持軸がハウジングから抜け落ちることはなく、支持軸をナットなどでハウジングに固定する必要がない。
加えて、スプール７のフランジ側面７１は、磁力による適度な付勢力をもって電動モーター４の出力軸４１に当接しているので、仕掛けにかかった魚等によってフランジ側面７１と出力軸４１との摩擦力よりも大きな力で釣り糸が引っ張られると、フランジ側面７１と出力軸４１との接触部に滑りが生じて出力軸４１の回転方向と逆方向へのスプール７の回転が許容され、スプール７から釣り糸が送り出されるので、ドラッグ調整を行う必要がない。
【００１１】
請求項２の発明によれば、スプールを電動モーターの出力軸側に引きつけるための磁石をスプールのフランジ側面と電動モーターの出力軸との接触部近傍に設けたので、磁力の強い範囲においてスプールのフランジ側面と電動モーターの出力軸とを接触させることができ、スプールのフランジ側面の電動モーター出力軸に対する付勢力を高めることができる。
【００１２】
請求項３の発明によれば、支持軸のスプール取付側近傍を、支持軸の側方方向の動きを規制しつつ軸方向に摺動可能に保持したので、釣り糸の巻き上げ時など支持軸の側方方向に力が加わっても、安定して支持軸を保持することができる。
【図面の簡単な説明】
【００１３】
【図１】この発明の第１の実施例の概要を示す一部断面側面図
【図２】同じく平面図
【図３】同じくスプール取り付け部の断面図（先端側から把持部方向を見た図）
【図４】同じく磁石の配置を示す側面断面図
【図５】同じく磁石の配置を示す平面図
【図６】同じく支持軸を押し上げてスプールを電動モーター出力軸から離反させた状態を示す図
【図７】同じく支持軸に作用する中空磁石の磁力を説明する図
【図８】この発明の第２の実施例の概要を示す一部断面側面図
【図９】同じく平面図
【図１０】同じく磁石の配置を示す側面断面図
【図１１】同じく磁石の配置を示す平面図
【図１２】同じく支持軸を押し上げてスプールを電動モーター出力軸から離反させた状態を示す図
【発明を実施するための形態】
【００１４】
図１及ないし７は、この発明の釣り用電動リールの第１の実施例の概要を示す図である。
この発明の釣り用電動リール１は、略円筒状に形成された把持部２と、この把持部２に取り付けられたリールハウジング３とから構成されている。
【００１５】
把持部２の内部には、電動モーター４と、この電動モーター４に電力を供給する電池５が把持部２の長手方向に並んで収納されており、電動モータ４の出力軸４１が、把持部２からリールハウジング３内に突出するように配設されている。
電動モーター４の出力軸４１は、回転軸４１１と、この回転軸４１１に取り付けられたホイール４１２とで構成されており、ホイール４１２の外周には滑り止めが施されている。この実施例においては、ホイール４１２の外周にゴム製Ｏリング４１３を取り付けることにより滑り止めが施されている。
把持部２の上部には電動モーター４の電源のＯＮ／ＯＦＦ切り替えを行うスイッチ６が設けられている。
【００１６】
リールハウジング３は、把持部２とほぼ同径の略円柱状部材で構成されており、その上部が把持部２側の一部を残して切り欠かれているとともに、先端側の径が小さくなるように形成されている。
リールハウジング３の切り欠き上面の把持部２側には、スプール７より一回り大きな径でスプール７の下部が収容される程度の深さの円状凹部３１が形成されている。また、リールハウジング３の把持部２側の側面には、電動モーター４の出力軸４１の径よりも大きな幅で、高さが幅の２倍程度、深さが円状凹部３１の先端側側面３１１に到達する深さの直方体状の横孔３２が、その上部が円状凹部３１と連通するようにして形成されている。そして、円状凹部３１の底面３１２の把持部２側には、磁石８がその上部が露出するようにして埋め込まれており、横孔３２の側壁３２１には、先端に磁石９が取り付けられたピンスプリング１０の一端側が埋め込まれて取り付けられている。
さらに、リールハウジング３の下部には、円状凹部３１の中心と同心軸上の点を中心とする円孔３３が横孔３２に連通して形成され、この円孔３３にリング型磁石１１が二つ、上下に僅かな間隙を介して取り付けられている。この実施例においては、２つのリング型磁石１１の間に僅かな間隙が設けてあるが、このような間隙を設けずに２つのリング型磁石１１を上下に磁着させた状態で円孔３３に取り付けてもよいし、１つのリング型磁石１１を円孔３３に取り付けてもよい。
また、リールハウジング３の先端側には、図示しない釣り竿が着脱可能に取り付けられる釣り竿装着孔３４が形成されている。
【００１７】
リールハウジング３の横孔３２の把持部２側には、電動モーター４の出力軸４１が、Ｏリング４１３が取り付けられた先端側を円状凹部３１の内側に、かつ、Ｏリング４１３の上縁が磁石８の上縁より上方に位置するようにして収容されている。
また、リールハウジング３の円状凹部３１には、スプール７の下部が上方から嵌め込まれるようにして取り付けられている。
【００１８】
スプール７は、鉄などの着磁性素材で構成されており、二つのボールベアリング１２を介して回転可能に鉄などの着磁性素材で構成された支持軸１３の一端側に取り付けれている。ここで、ボールベアリング１２の内輪は支持軸１３と、外輪はスプール７とそれぞれ固着して取り付けられているので、スプール７が支持軸１３から外れたり、支持軸１３に対して軸方向に摺動したりするおそれはない。
また、支持軸１３のスプール７が取り付けられた側には、リング型磁石１４とボールベアリング１５が嵌挿されている。このリング型磁石１４は、スプール７に取り付けられたボールベアリング１２の内輪とボールベアリング１５に磁着している。
【００１９】
スプール７、リング型磁石１４、ボールベアリング１５が取り付けられた支持軸１３は、スプール７が取り付けられていない側が、リールハウジング３の円孔３３に取り付けられた二つのリング型磁石１１の内孔に摺動可能に嵌挿されることによりリールハウジング３に取り付けられており、支持軸１３の先端がリールハウジング３の下部から数ｍｍ程度外部に突出した状態となっている。
また、支持軸１３に取り付けられたボールベアリング１５の側面は、ピンスプリング１０を介してリールハウジング３の側壁３２１に取り付けられた磁石９に磁着されている。
【００２０】
このように、支持軸１３は、スプール７の取り付け側において磁石９に磁着し、スプール７が取り付けられていない先端側において２つのリング型磁石１１の内孔に嵌挿されているだけなので、軸方向に摺動可能な状態でリールハウジング３に取り付けられている。そして、支持軸１３の先端側には図７に示すように支持軸１３を下方に移動させようとする磁力が作用するので、支持軸１３は下方に向かって移動する。しかも、２つのリング型磁石１１は上下に僅かな間隙を介して取り付けられているので、２つのリング型磁石を磁着させた時に生じるような磁着部における磁力の打ち消し合いが生じず、２つのリング型磁石を磁着させた場合よりも大きな磁力を得ることができる。
さらに、リールハウジング３の円状凹部３１の底面３１２に取り付けられた磁石８の磁力によって着磁性素材で構成されたスプール７が下方に引きつけられるので、支持軸１３にはスプール７を介して下方に移動させる力が加わる。すなわち、支持軸１３に取り付けられたスプール７は、リールハウジング３の円孔３３に取り付けられたリング型磁石１１の磁力と、円状凹部底面３１２に取り付けられた磁石８の磁力とによって下方に引きつけられ、スプール７のフランジ側面７１が電動モーター４の出力軸４１と適度な付勢力をもって当接されている。このとき、電動モーター４の出力軸４１は、その上縁（Ｏリング４１３の上縁）が磁石８の上縁より上方に位置しているので、スプール７のフランジ側面７１は磁石８と磁着しない状態（非接触状態）を保ちながら出力軸４１と当接している。
これにより、電動モーター４が回転すると出力軸４１が回転し、この出力軸４１と当接するスプール７のフランジ側面７１に回転力が伝わってスプール７が回転し、釣り糸（図示しない）を巻き上げることができる。
【００２１】
また、支持軸１３に取り付けられたボールベアリング１５の側面がピンスプリング１０を介してリールハウジング３の側壁３２１に取り付けられた磁石９に磁着しているので、支持軸１３に対して側方方向の力が加わっても支持軸１３は動きにくく、特に釣り糸の巻き上げ時などにリールハウジング３の先端側方向から加わる力に対して強い抗力を備えた形で支持軸１３を保持することができる。
【００２２】
さらに、支持軸１３は、スプール７のフランジ側面７１が電動モーター４の出力軸４１と当接した状態おいて、先端が数ｍｍ程度リールハウジング３から外部に突出する長さとしてある。電動モーター４の回転力をスプール７に伝えたくない（クラッチを切りたい）場合には、リールハウジング３から外部に突出した支持軸１３の先端を押し上げることにより、スプール７のフランジ側面７１と電動モーター４の出力軸４１とを離反させて接触状態を解除することができる。すなわち、スプール７が取り付けられた支持軸１３は、スプール７の取り付け側においてボールベアリング１５を介して、また、スプール７の取り付けられていない側において２つのリング型磁石１１を介して、何れも摺動可能に保持されているので、リールハウジング３から突出した支持軸１３の先端を押し上げることにより上方に摺動させることができる。しかも、このとき、支持軸１３に対してリング型磁石１１の磁力が図７に示すように作用して支持軸１３が下方に移動しようとするので、支持軸１３がリング型磁石１１から抜けてしまうおそれもない。なお、支持軸１３がリング型磁石１１から抜けることを確実に防止するために、支持軸１３の先端表面にねじを切ってナットを螺合してもよい（図示せず）。
【００２３】
スプール７のフランジ側面７１が電動モーター４の出力軸４１から離反して接触が解除された状態にあっては、スプール７は自由に回転することができる状態となるので、電動モーター４の出力軸４１が回転している最中でも、支持軸１３の押し上げ操作によりクラッチを切ることで、素早く釣り糸を送り出すことができる。他方、支持軸１３から指を離して押し上げ操作を止めると支持軸１３が磁石８及びリング型磁石１１の磁力によって再び下方に引きつけられ、スプール７のフランジ側面７１が電動モーター４の出力軸４１に再び付勢されて、電動モーター４の回転力がスプール７に伝達される（クラッチがつながる）。
【００２４】
図８ないし１２は、この発明の釣り用電動リールの第２の実施例の概要を示す図である。第２の実施例は、第１の実施例における支持軸１３の側方方向の動きを規制するための保持構造を変形した実施例である。
【００２５】
すなわち、第２の実施例においては、リールハウジング３の横孔３２が第１の実施例よりも小さく形成され、円形凹部３１との連通部が把持部２側の電動モーター４の出力軸４１とスプール７のフランジ側面７１との接触部近傍の範囲に限られている。また、円状凹部３１の底面３１２の中心からリールハウジング３の下部に貫通する円孔３３が形成されており、この円孔３３の上端（円状凹部底面３１２側）にはリング型磁石１４が、下端（リールハウジング３下部側）には２つのリング型磁石１１が、それぞれ固着して取り付けられている。また、リールハウジング３の上部に形成される円状凹部３１は実施例１の円状凹部よりも若干浅く形成されており、その底面３１２の把持部２側の横孔３２との連通部近傍には、磁石８がその上面が円状凹部底面３１２と面一となるように埋め込んで取り付けられている。
そして、スプール７が回転可能に取り付けられた支持軸１３がリング型磁石１４及び１１に摺動可能に嵌挿されることにより取り付けられており、支持軸１３の先端がリールハウジング３の下部から数ｍｍ程度外部に突出した状態となっている。
【００２６】
この状態において、スプール７が取り付けられた支持軸１３は、磁石８の磁力がスプール７のフランジ側面７１に、リング型磁石１４の磁力がボールベアリング１２にそれぞれ作用することによって下方に引きつけられるとともに、リング型磁石１１の磁力が図７に示すように作用して支持軸１３を下方に移動させようとする力が加わる。すなわち、スプール７が取り付けられた支持軸１３は、磁石８、リング型磁石１４及び１１の磁力によって下方に引きつけられ、スプール７のフランジ側面７１が電動モーター４の出力軸４１に適度な付勢力によって当接している。
【００２７】
この状態で電動モーター４を駆動して出力軸４１を回転させると、その回転力がスプール７のフランジ側面７１に伝わってスプール７を回転させることができ、釣り糸（図示せず）を巻き上げることができる。そして、支持軸１３のスプール７取り付け側近傍は、リールハウジング３の円孔３３に取り付けられたリング型磁石１４によって保持されているので、支持軸１３は側方方向の動きが規制され、釣り糸の巻き上げ時などに側方方向の力が加わっても安定して支持軸１３を保持することができる。
【００２８】
電動モーター４の回転力をスプール７に伝えたくない（クラッチを切りたい）場合には、リールハウジング３から外部に突出した支持軸１３の先端を押し上げることにより、スプール７のフランジ側面７１と電動モーター４の出力軸４１とを離反させて接触状態を解除することができる。すなわち、スプール７が取り付けられた支持軸１３は、リング型磁石１４及びリング型磁石１１を介して摺動可能に保持されているので、リールハウジング３から突出した支持軸１３の先端を押し上げて上方に摺動させることができる。しかも、このとき、支持軸１３に対してリング型磁石１１の磁力が図７に示すように作用して支持軸１３を下方に移動させようとする力が働くので、支持軸１３がリング型磁石１１から抜けてしまうおそれがないことは実施例１の場合と同様である。また、支持軸１３がリング型磁石１１から抜けることを確実に防止するために、支持軸１３の先端表面にねじを切ってナットを螺合してもよい（図示せず）。
【００２９】
スプール７のフランジ側面７１が電動モーター４の出力軸４１から離反して接触が解除された状態にあっては、スプール７は自由に回転することができる状態となり、電動モーター４の出力軸４１が回転している最中でも、支持軸１３の押し上げ操作によりクラッチを切ることで、素早く釣り糸を送り出すことができる。他方、支持軸１３から指を離して押し上げ操作を止めると、支持軸１３が磁石８、リング方磁石１４及び１１の磁力によって下方に引きつけられ、スプール７のフランジ側面７１が電動モーター４の出力軸４１に再び付勢されて、電動モーター４の回転力がスプール７に伝達される（クラッチがつながる）。
【産業上の利用可能性】
【００３０】
この発明は、ワカサギやハゼ、キス等の小物釣りに用いられる小型の釣り竿に使用される釣り用電動リールに関するものであり、産業上の利用可能性を有するものである。
【符号の説明】
【００３１】
１  釣り用電動リール
２  把持部
３  リールハウジング
３１  円状凹部
３１１  側壁
３１２  底部
３２  横孔
３２１  側壁
３３  円孔
３４  釣り竿装着孔
４  電動モーター
４１  出力軸
４１１  回転軸
４１２  ホイール
４１３  Ｏリング
５  電池
６  スイッチ
７  スプール
８  磁石
９  磁石
１０  ピンスプリング
１１  リング型磁石
１２  ボールベアリング
１３  支持軸
１４  リング型磁石
１５  ボールベアリング
【図１】
2019092454.tif 000003
【図２】
2019092454.tif 000004
【図３】
2019092454.tif 000005
【図４】
2019092454.tif 000006
【図５】
2019092454.tif 000007
【図６】
2019092454.tif 000008
【図７】
2019092454.tif 000009
【図８】
2019092454.tif 000010
【図９】
2019092454.tif 000011
【図１０】
2019092454.tif 000012
【図１１】
2019092454.tif 000013
【図１２】
2019092454.tif 000014